【手続補正書】
【提出日】平成19年7月19日(2007.7.19)
【手続補正１】
【補正対象書類名】明細書
【補正対象項目名】特許請求の範囲
【補正方法】変更
【補正の内容】
【特許請求の範囲】
【請求項１】  画像データを圧縮符号化して得られる圧縮画像データを有する画像ファイルを生成する画像符号化装置であって、
入力画像データをウェーブレット変換を用いた圧縮符号化方法で圧縮符号化し、第１の圧縮画像データとして出力する第１の符号化手段と、
前記入力画像データを離散コサイン変換を用いた圧縮符号化方法で圧縮符号化し、第２の圧縮画像データとして出力する第２の符号化手段と、
前記第１及び第２の圧縮画像データと、前記第１及び第２の圧縮画像データに関する情報を用いて、前記入力画像を表す１つの画像ファイルを生成する画像ファイル生成手段とを有し、
前記第１の符号化手段と前記第２の符号化手段による圧縮符号化が、並列、かつ独立に実行されることを特徴とする画像符号化装置。
【請求項２】  前記第２の符号化手段が、前記入力画像データを所定の大きさに縮小する画像縮小手段を有し、前記所定の大きさに縮小した前記入力画像データに対して前記離散コサイン変換を用いた圧縮符号化を行うことを特徴とする請求項１記載の画像符号化装置。
【請求項３】  前記第１及び第２の圧縮画像データに関する情報が、前記第１及び第２の圧縮画像データの大きさ、圧縮符号化方法、前記画像ファイル中の開始位置の少なくとも１つを含むことを特徴とする請求項１又は請求項２記載の画像符号化装置。
【請求項４】  前記第２の符号化手段が、前記入力画像データを互いに異なる複数の所定の大きさに縮小する画像縮小手段を有し、前記複数の縮小された前記入力画像データのぞれぞれに対して前記離散コサイン変換を用いた圧縮符号化を行い、複数の前記第２の圧縮画像データを出力するとともに、
前記画像ファイル生成手段が、前記第１の圧縮画像データと前記複数の第２の圧縮画像データと、前記第１の圧縮画像データ及び前記複数の第２の圧縮画像データに関する情報を用いて、前記画像ファイルを生成することを特徴とする請求項１記載の画像符号化装置。
【請求項５】  前記画像ファイルを記憶する記憶手段をさらに有することを特徴とする請求項１乃至請求項４のいずれか１項に記載の画像符号化装置。
【請求項６】  前記記憶手段が着脱可能であることを特徴とする請求項５記載の画像符号化装置。
【請求項７】  互いに異なる圧縮符号化方法で符号化された複数の圧縮画像データを含んだ画像ファイルから、離散コサイン変換を用いた圧縮符号化方法で圧縮符号化された第１の圧縮画像データを抽出する抽出手段と、
前記抽出した第１の圧縮画像データを、逆離散コサイン変換を用いて伸張する伸張手段と、
前記伸張の結果得られた画像データを用いて表示用の画像データを生成する表示画像生成手段と、
前記表示用画像データを表示する表示手段とを有し、
前記画像ファイルは、前記第１の圧縮画像データと、第２の圧縮画像データとを含み、前記第１の圧縮画像データはウェーブレット変換を用いずに離散コサイン変換を用いて符号化され、前記第２の圧縮画像データは離散コサイン変換を用いずにウェーブレット変換を用いて符号化されたものであることを特徴とする画像表示装置。
【請求項８】  請求項１乃至請求項６のいずれか１項に記載の画像符号化装置と、請求項７記載の画像表示装置とを有することを特徴とする画像処理システム。
【請求項９】  請求項１乃至請求項６のいずれか１項に記載の画像符号化装置と、請求項７記載の画像表示装置を有することを特徴とする撮像装置。
【請求項１０】  画像データを圧縮符号化して得られる圧縮画像データを有する画像ファイルを生成する画像符号化方法であって、
入力画像データをウェーブレット変換を用いた圧縮符号化方法で圧縮符号化し、第１の圧縮画像データとして出力する第１の符号化ステップと、
前記入力画像データを離散コサイン変換を用いた圧縮符号化方法で圧縮符号化し、第２の圧縮画像データとして出力する第２の符号化ステップと、
前記第１及び第２の圧縮画像データと、前記第１及び第２の圧縮画像データに関する情報を用いて、前記入力画像を表す１つの画像ファイルを生成する画像ファイル生成ステップとを有し、
前記第１の符号化ステップと前記第２の符号化ステップによる圧縮符号化が、並列、かつ独立に実行されることを特徴とする画像符号化方法。
【請求項１１】  前記第２の符号化ステップが、前記入力画像データを所定の大きさに縮小する画像縮小ステップを有し、前記所定の大きさに縮小した前記入力画像データに対して前記離散コサイン変換を用いた圧縮符号化を行うことを特徴とする請求項１０記載の画像符号化方法。
【請求項１２】  前記第１及び第２の圧縮画像データに関する情報が、前記第１及び第２の圧縮画像データの大きさ、圧縮符号化方法、前記画像ファイル中の開始位置の少なくとも１つを含むことを特徴とする請求項１０又は請求項１１記載の画像符号化方法。
【請求項１３】  前記第２の符号化ステップが、前記入力画像データを互いに異なる複数の所定の大きさに縮小する画像縮小ステップを有し、前記複数の縮小された前記入力画像データのぞれぞれに対して前記離散コサイン変換を用いた圧縮符号化を行い、複数の前記第２の圧縮画像データを出力するとともに、
前記画像ファイル生成ステップが、前記第１の圧縮画像データと前記複数の第２の圧縮画像データと、前記第１の圧縮画像データ及び前記複数の第２の圧縮画像データに関する情報を用いて、前記画像ファイルを生成することを特徴とする請求項１０記載の画像符号化方法。
【請求項１４】  前記画像ファイルを記憶する記憶ステップをさらに有することを特徴とする請求項１０乃至請求項１３のいずれか１項に記載の画像符号化方法。
【請求項１５】  互いに異なる圧縮符号化方法で符号化された複数の圧縮画像データを含んだ画像ファイルから、離散コサイン変換を用いた圧縮符号化方法で圧縮符号化された第１の圧縮画像データを抽出する抽出ステップと、
前記抽出した第１の圧縮画像データを、逆離散コサイン変換を用いて伸張する伸張ステップと、
前記伸張の結果得られた画像データを用いて表示用の画像データを生成する表示画像生成ステップと、
前記表示用画像データを表示する表示ステップとを有し、
前記画像ファイルは、前記第１の圧縮画像データと、第２の圧縮画像データとを含み、前記第１の圧縮画像データはウェーブレット変換を用いずに離散コサイン変換を用いて符号化され、前記第２の圧縮画像データは離散コサイン変換を用いずにウェーブレット変換を用いて符号化されたものであることを特徴とする画像表示方法。
【請求項１６】  画像データを圧縮符号化して得られる圧縮画像データを有する画像ファイルを生成する画像符号化方法であって、
入力画像データをウェーブレット変換を用いた圧縮符号化方法で圧縮符号化し、第１の圧縮画像データとして出力する第１の符号化ステップと、
前記入力画像データを離散コサイン変換を用いた圧縮符号化方法で圧縮符号化し、第２の圧縮画像データとして出力する第２の符号化ステップと、
前記第１及び第２の圧縮画像データと、前記第１及び第２の圧縮画像データに関する情報を用いて、前記入力画像を表す１つの画像ファイルを生成する画像ファイル生成ステップとを有し、
前記第１の符号化ステップと前記第２の符号化ステップによる圧縮符号化が、並列、かつ独立に実行されることを特徴とする画像符号化方法の各工程をコンピュータに実行させるためのプログラムを格納したコンピュータ読み取り可能な記録媒体。
【請求項１７】  前記第２の符号化ステップが、前記入力画像データを互いに異なる複数の所定の大きさに縮小する画像縮小ステップを有し、前記複数の縮小された前記入力画像データのぞれぞれに対して前記離散コサイン変換を用いた圧縮符号化を行い、複数の前記第２の圧縮画像データを出力するとともに、
前記画像ファイル生成ステップが、前記第１の圧縮画像データと前記複数の第２の圧縮画像データと、前記第１の圧縮画像データ及び前記複数の第２の圧縮画像データに関する情報を用いて、前記画像ファイルを生成することを特徴とする請求項１６記載のコンピュータ読み取り可能な記録媒体。
【請求項１８】  互いに異なる圧縮符号化方法で符号化された複数の圧縮画像データを含んだ画像ファイルから、離散コサイン変換を用いた圧縮符号化方法で圧縮符号化された第１の圧縮画像データを抽出する抽出ステップと、
前記抽出した第１の圧縮画像データを、逆離散コサイン変換を用いて伸張する伸張ステップと、
前記伸張の結果得られた画像データを用いて表示用の画像データを生成する表示画像生成ステップと、
前記表示用画像データを表示する表示ステップとを有し、
前記画像ファイルは、前記第１の圧縮画像データと、第２の圧縮画像データとを含み、前記第１の圧縮画像データはウェーブレット変換を用いずに離散コサイン変換を用いて符号化され、前記第２の圧縮画像データは離散コサイン変換を用いずにウェーブレット変換を用いて符号化されたものであることを特徴とする画像表示方法の各工程をコンピュータに実行させるためのプログラムを格納したことを特徴とするコンピュータ読み取り可能な記録媒体。
【請求項１９】  請求項１乃至請求項６のいずれか１項に記載の画像符号化装置を有することを特徴とする撮像装置。
【請求項２０】  請求項７記載の画像表示装置を有することを特徴とする撮像装置。
【請求項２１】  画像データを圧縮符号化して得られる圧縮画像データを有する画像ファイルを生成する画像符号化装置であって、
入力画像データをウェーブレット変換を用いた圧縮符号化方法で圧縮符号化し、第１の圧縮画像データとして出力する第１の符号化手段と、
前記入力画像データを離散コサイン変換を用いた圧縮符号化方法で圧縮符号化し、第２の圧縮画像データとして出力する第２の符号化手段と、
前記第１及び第２の圧縮画像データと、前記第１及び第２の圧縮画像データに関する情報を用いて、前記入力画像を表す１つの画像ファイルを生成する画像ファイル生成手段とを有し、
前記第１の圧縮画像データが離散コサイン変換を用いずに圧縮符号化され、前記第２の圧縮画像データがウェーブレット変換を用いずに圧縮符号化されることを特徴とする画像符号化装置。
【請求項２２】  画像データを圧縮符号化して得られる圧縮画像データを有する画像ファイルを生成する画像符号化方法であって、
入力画像データをウェーブレット変換を用いた圧縮符号化方法で圧縮符号化し、第１の圧縮画像データとして出力する第１の符号化ステップと、
前記入力画像データを離散コサイン変換を用いた圧縮符号化方法で圧縮符号化し、第２の圧縮画像データとして出力する第２の符号化ステップと、
前記第１及び第２の圧縮画像データと、前記第１及び第２の圧縮画像データに関する情報を用いて、前記入力画像を表す１つの画像ファイルを生成する画像ファイル生成ステップとを有し、
前記第１の圧縮画像データが離散コサイン変換を用いずに圧縮符号化され、前記第２の圧縮画像データがウェーブレット変換を用いずに圧縮符号化されることを特徴とする画像符号化方法。
【請求項２３】  請求項２２記載の画像符号化方法の各工程をコンピュータに実行させるためのプログラムを格納したコンピュータ読み取り可能な記録媒体。
【手続補正２】
【補正対象書類名】明細書
【補正対象項目名】０００８
【補正方法】変更
【補正の内容】
【０００８】
【課題を解決するための手段】
すなわち、本発明の要旨は、画像データを圧縮符号化して得られる圧縮画像データを有する画像ファイルを生成する画像符号化装置であって、入力画像データをウェーブレット変換を用いた圧縮符号化方法で圧縮符号化し、第１の圧縮画像データとして出力する第１の符号化手段と、入力画像データを離散コサイン変換を用いた圧縮符号化方法で圧縮符号化し、第２の圧縮画像データとして出力する第２の符号化手段と、第１及び第２の圧縮画像データと、第１及び第２の圧縮画像データに関する情報を用いて、入力画像を表す１つの画像ファイルを生成する画像ファイル生成手段とを有し、第１の符号化手段と第２の符号化手段による圧縮符号化が、並列、かつ独立に実行されることを特徴とする画像符号化装置に存する。
【手続補正３】
【補正対象書類名】明細書
【補正対象項目名】０００９
【補正方法】変更
【補正の内容】
【０００９】
また、本発明の別の要旨は、互いに異なる圧縮符号化方法で符号化された複数の圧縮画像データを含んだ画像ファイルから、離散コサイン変換を用いた圧縮符号化方法で圧縮符号化された第１の圧縮画像データを抽出する抽出手段と、抽出した第１の圧縮画像データを、逆離散コサイン変換を用いて伸張する伸張手段と、伸張の結果得られた画像データを用いて表示用の画像データを生成する表示画像生成手段と、表示用画像データを表示する表示手段とを有し、画像ファイルは、第１の圧縮画像データと、第２の圧縮画像データとを含み、第１の圧縮画像データはウェーブレット変換を用いずに離散コサイン変換を用いて符号化され、第２の圧縮画像データは離散コサイン変換を用いずにウェーブレット変換を用いて符号化されたものであることを特徴とする画像表示装置に存する。
【手続補正４】
【補正対象書類名】明細書
【補正対象項目名】００１２
【補正方法】変更
【補正の内容】
【００１２】
また、本発明の別の要旨は、画像データを圧縮符号化して得られる圧縮画像データを有する画像ファイルを生成する画像符号化方法であって、入力画像データをウェーブレット変換を用いた圧縮符号化方法で圧縮符号化し、第１の圧縮画像データとして出力する第１の符号化ステップと、入力画像データを離散コサイン変換を用いた圧縮符号化方法で圧縮符号化し、第２の圧縮画像データとして出力する第２の符号化ステップと、第１及び第２の圧縮画像データと、第１及び第２の圧縮画像データに関する情報を用いて、入力画像を表す１つの画像ファイルを生成する画像ファイル生成ステップとを有し、第１の符号化ステップと第２の符号化ステップによる圧縮符号化が、並列、かつ独立に実行されることを特徴とする画像符号化方法に存する。
【手続補正５】
【補正対象書類名】明細書
【補正対象項目名】００１３
【補正方法】変更
【補正の内容】
【００１３】
また、本発明の別の要旨は、互いに異なる圧縮符号化方法で符号化された複数の圧縮画像データを含んだ画像ファイルから、離散コサイン変換を用いた圧縮符号化方法で圧縮符号化された第１の圧縮画像データを抽出する抽出ステップと、抽出した第１の圧縮画像データを、逆離散コサイン変換を用いて伸張する伸張ステップと、伸張の結果得られた画像データを用いて表示用の画像データを生成する表示画像生成ステップと、表示用画像データを表示する表示ステップとを有し、画像ファイルは、第１の圧縮画像データと、第２の圧縮画像データとを含み、第１の圧縮画像データはウェーブレット変換を用いずに離散コサイン変換を用いて符号化され、第２の圧縮画像データは離散コサイン変換を用いずにウェーブレット変換を用いて符号化されたものであることを特徴とする画像表示方法に存する。
【手続補正６】
【補正対象書類名】明細書
【補正対象項目名】００１４
【補正方法】変更
【補正の内容】
【００１４】
また、本発明の別の要旨は、画像データを圧縮符号化して得られる圧縮画像データを有する画像ファイルを生成する画像符号化方法であって、入力画像データをウェーブレット変換を用いた圧縮符号化方法で圧縮符号化し、第１の圧縮画像データとして出力する第１の符号化ステップと、入力画像データを離散コサイン変換を用いた圧縮符号化方法で圧縮符号化し、第２の圧縮画像データとして出力する第２の符号化ステップと、第１及び第２の圧縮画像データと、第１及び第２の圧縮画像データに関する情報を用いて、入力画像を表す１つの画像ファイルを生成する画像ファイル生成ステップとを有し、第１の符号化ステップと第２の符号化ステップによる圧縮符号化が、並列、かつ独立に実行されることを特徴とする画像符号化方法の各工程をコンピュータに実行させるためのプログラムを格納したコンピュータ読み取り可能な記録媒体に存する。
【手続補正７】
【補正対象書類名】明細書
【補正対象項目名】００１５
【補正方法】変更
【補正の内容】
【００１５】
また、本発明の別の要旨は、互いに異なる圧縮符号化方法で符号化された複数の圧縮画像データを含んだ画像ファイルから、離散コサイン変換を用いた圧縮符号化方法で圧縮符号化された第１の圧縮画像データを抽出する抽出ステップと、抽出した第１の圧縮画像データを、逆離散コサイン変換を用いて伸張する伸張ステップと、伸張の結果得られた画像データを用いて表示用の画像データを生成する表示画像生成ステップと、表示用画像データを表示する表示ステップとを有し、画像ファイルは、第１の圧縮画像データと、第２の圧縮画像データとを含み、第１の圧縮画像データはウェーブレット変換を用いずに離散コサイン変換を用いて符号化され、第２の圧縮画像データは離散コサイン変換を用いずにウェーブレット変換を用いて符号化されたものであることを特徴とする画像表示方法の各工程をコンピュータに実行させるためのプログラムを格納したことを特徴とするコンピュータ読み取り可能な記録媒体に存する。
また、本発明の別の要旨は、画像データを圧縮符号化して得られる圧縮画像データを有する画像ファイルを生成する画像符号化装置であって、入力画像データをウェーブレット変換を用いた圧縮符号化方法で圧縮符号化し、第１の圧縮画像データとして出力する第１の符号化手段と、入力画像データを離散コサイン変換を用いた圧縮符号化方法で圧縮符号化し、第２の圧縮画像データとして出力する第２の符号化手段と、第１及び第２の圧縮画像データと、第１及び第２の圧縮画像データに関する情報を用いて、入力画像を表す１つの画像ファイルを生成する画像ファイル生成手段とを有し、第１の圧縮画像データが離散コサイン変換を用いずに圧縮符号化され、第２の圧縮画像データがウェーブレット変換を用いずに圧縮符号化されることを特徴とする画像符号化装置に存する。
また、本発明の別の要旨は、画像データを圧縮符号化して得られる圧縮画像データを有する画像ファイルを生成する画像符号化方法であって、入力画像データをウェーブレット変換を用いた圧縮符号化方法で圧縮符号化し、第１の圧縮画像データとして出力する第１の符号化ステップと、入力画像データを離散コサイン変換を用いた圧縮符号化方法で圧縮符号化し、第２の圧縮画像データとして出力する第２の符号化ステップと、第１及び第２の圧縮画像データと、第１及び第２の圧縮画像データに関する情報を用いて、入力画像を表す１つの画像ファイルを生成する画像ファイル生成ステップとを有し、第１の圧縮画像データが離散コサイン変換を用いずに圧縮符号化され、第２の圧縮画像データがウェーブレット変換を用いずに圧縮符号化されることを特徴とする画像符号化方法に存する。